(57)【特許請求の範囲】
【請求項１】
一対の多板ディスク状回転カッターが噛合して紙を縦方向に細断する縦切り細断部と、前記縦切り細断部から排出される縦切り屑を固定カッターとスパイラル状回転カッターとによって横方向に細断する横切り細断部とを備えたシュレッダーであって、前記横切り細断部の前記スパイラル状回転カッターが回転していないことを検知する手段を備えると共に、多板ディスク状回転カッターを回転する縦切り細断用駆動モータと、スパイラル状回転カッターを回転する横切り細断用駆動モータとを別々に備え、前記検知手段によって前記スパイラル状回転カッターが回転していないことを検知すれば前記縦切り細断用駆動モータの駆動を停止して前記縦切り細断部の細断を停止することを特徴としたシュレッダー。
【請求項２】
横切り細断部のスパイラル状回転カッターが回転していないことを検知すれば、縦切り細断部の多板ディスク状回転カッターを細断方向とは逆向きに回転させるように縦切り細断用駆動モータを制御する請求項１記載のシュレッダー。
【請求項３】
スパイラル状回転カッターが回転していないことを検知する手段は、スパイラル状回転カッターの回転軸に一体に設けたエンコーダディスクと、該エンコーダディスクに対応するエンコーダセンサの組み合わせからなる請求項１または２記載のシュレッダー。
【請求項４】
エンコーダディスクはディスク外周に凹部と凸部とを周方向に沿って交互に複数組形成した歯車状であり、エンコーダセンサは前記ディスク外周を挟み、前記凸部で光が遮断され、前記凹部で光が通過するように投光部と受光部とを配置した光センサである請求項３記載のシュレッダー。
【請求項５】
多板ディスク状回転カッター及びスパイラル状回転カッターの回転軸と、それぞれの駆動モータの駆動軸にはスプロケットを設け、該スプロケットに対応したチェーンによって前記駆動モータそれぞれを前記多板ディスク状回転カッター及び前記スパイラル状回転カッターそれぞれと連結した請求項１から４のうち何れか一項記載のシュレッダー。
【発明の詳細な説明】
【技術分野】
【０００１】
この発明は、縦切り細断部と横切り細断部とを備えたシュレッダーに係り、何らかの原因で横切り細断部が動作しない場合や動作を停止した場合、これを検知して、縦切り細断部を動作させないようにすることで、縦切り細断部と横切り細断部の間に細断屑が詰まることを防止する構成に関するものである。
【背景技術】
【０００２】
従来、縦切り細断部と、その排出側に横切り細断部とを備えたシュレッダーが公知である（特許文献１等）。
【０００３】
図４は、従来のシュレッダーの主要部を示したものであり、多数のディスク状カッターを回転駆動軸上に配置した一対の多板ディスク状回転カッター２１・２２を噛み合わせて、当該噛合部を通過する紙を所定幅の幾つもの細長いヌードル状の縦切り屑に縦切りする縦切り細断部２０と、スパイラル状に細断刃を配したスパイラル状回転カッター３１とこれと対向する平刃の横切り用固定カッター３２とを有して、前記縦切り細断部２０から排出される前記縦切り屑をさらに細かく横切り（みじん切り）する横切り細断部３０とを備えており、横切り細断部３０から排出される最終的な細断屑をさらに細かいものとして、その文書の機密漏洩を防止している。
【先行技術文献】
【特許文献】
【０００４】
【特許文献１】特許第４６２０８４０号公報
【発明の概要】
【発明が解決しようとする課題】
【０００５】
上記構成では、縦切り細断部２０と横切り細断部３０は連動して動作するが、何らかの原因によって横切り細断部３０が動作しなかったり、細断中に動作を停止して、縦切り細断部２０だけが動作し続けると、縦切り細断部２０から排出される縦切り屑が横切り細断部３０との間に詰まってしまい、縦切り細断部２０を逆回転させても詰まった縦切り屑を除去できないため、シュレッダーが使用できなくなる。
【０００６】
この点、従来は、図４に示したように、一つの駆動モータ４０の動力を縦切り細断部２０に伝達する一方、縦切り細断部２０と横切り細断部３０とは歯車５０等によって機械的に連結されいるため、縦切り細断部２０のみが単独で動作する事態に陥りにくい。
【０００７】
しかし、特許文献１の図２に示された構成では、二つの駆動モータを備え、それぞれを縦切り細断部２０と横切り細断部３０とに接続した構成が例示されており、この場合は、横切り細断部３０に対応する駆動モータやその配線に不具合や故障があったり、もう一方の駆動モータとの同期を図るための制御プログラムに不備があれば、横切り細断部３０が回転しないまま、縦切り細断部２０が単独で回転することがあり得る。
【０００８】
なお、特許文献１において、縦切り細断部２０と横切り細断部３０を別々の駆動モータで動作させるようにしたのは、縦切り細断部２０が正回転と逆回転の何れにあっても、常に、横切り細断部３０を正回転させることで、細断屑を確実に排出するためである。したがって、この技術では、横切り細断部３０の回転が停止することや、その場合に、縦切り細断部２０の回転を停止することは想定されておらず、縦切り細断部２０の単独運転による上述した紙詰まりそのものを防止するものではなかった。
【０００９】
本発明は、上述した課題に鑑みなされたもので、その目的とするところは、何らかの原因によって横切り細断部が回転不能に陥った場合に、紙詰まりすることがないシュレッダーを提供することである。
【課題を解決するための手段】
【００１０】
上述した目的を達成するために本発明では、一対の多板ディスク状回転カッターが噛合して紙を縦方向に細断する縦切り細断部と、前記縦切り細断部から排出される縦切り屑を固定カッターとスパイラル状回転カッターとによってさらに横方向に細断する横切り細断部とを備えたシュレッダーであって、前記横切り細断部の前記スパイラル状回転カッターが回転してないことを検知する手段を備え、当該検知手段によって前記スパイラル状回転カッターが回転していないことを検知すれば前記縦切り細断部の細断を停止するという手段を用いた。
【００１１】
この手段によれば、何らかの原因でスパイラル状回転カッターが回転していないことを検知したときには、縦切り細断部は細断を行わないため、縦切り細断部と横切り細断部の間で紙詰まりが発生しない。なお、縦切り細断部の細断を停止することには、細断途中の中断のみならず、当初から運転を開始しないことも含む。また、縦切り細断部を細断方向とは逆向きに回転（逆回転）させる動作も含むことであってもよい。
【００１２】
具体的手段としては、多板ディスク状回転カッターを回転する縦切り細断用駆動モータと、スパイラル状回転カッターを回転する横切り細断用駆動モータとを別々に備え、前記スパイラル状回転カッターが回転していないことを検知すれば前記縦切り細断用駆動モータの駆動を停止して縦切り細断部の細断を行わないようにすることが該当する。この手段において、横切り細断部のスパイラル状回転カッターが回転していないことを検知すれば、縦切り細断部の多板ディスク状回転カッターを細断方向とは逆向きに回転させるように縦切り細断用駆動モータを制御する。
【００１３】
また、スパイラル状回転カッターが回転していないことを検知する手段は、スパイラル状回転カッターの回転軸に一体に設けたエンコーダディスクと、該エンコーダディスクに対応するエンコーダセンサの組み合わせによって構成することができる。
【００１４】
さらに、エンコーダディスクはディスク外周に凹部と凸部とを周方向に沿って交互に複数組形成した歯車状とし、エンコーダセンサは光センサによって構成するという手段を用いる。光センサとしては、前記ディスク外周を挟み、前記凸部で光が遮断され、前記凹部で光が通過するように投光部と受光部とを配置した透過形フォトセンサ（光電センサ）が典型的であるが、その他のフォトセンサであってもよい。光センサが透過形フォトセンサである場合は、投光部と受光部とが予め光軸を合わせた状態で一体化されている溝形あるいはコの字形といわれるものを採用することが好ましい。
【００１５】
さらにまた、各細断部と各モータの連結態様は歯車であってよいが、多板ディスク状回転カッター及びスパイラル状回転カッターの回転軸と、それぞれの駆動モータの駆動軸にはスプロケットを設け、該スプロケットに対応したチェーンによって前記駆動モータそれぞれを前記多板ディスク状回転カッター及び前記スパイラル状回転カッターそれぞれと連結するという手段も採用し得る。
【発明の効果】
【００１６】
本発明によれば、何らかの不具合により横切り細断部が機能しないときに、その回転（未回転）を検知して、上段にある縦切り細断部の動作を停止するため、不用意に縦切り細断部から縦切り屑が排出されることがなく、これによって紙詰まりが回避されると共に、速やかに不具合を点検・修理することができる。
【図面の簡単な説明】
【００１７】
【図１】本発明の一実施形態に係るシュレッダー主要部の平面視概略図
【図２】同、側面視概略図
【図３】同、検知部の概略図であって、（ａ）は側面視概略図、（ｂ）は正面視概略図
【図４】従来のシュレッダー主要部の平面視概略図
【発明を実施するための形態】
【００１８】
以下、本発明の好ましい実施の形態を添付した図面に従って説明する。図１は、本発明の一実施形態に係るシュレッダーの主要部を示したもので、１は縦切り細断部、２は横切り細断部、３は縦切り細断用駆動モータ、４は横切り細断用駆動モータ、５は検知部である。
【００１９】
縦切り細断部１は、一対の多板ディスク状回転カッター１ａ・１ｂを、その刃が互いに噛合した状態で紙Ｐの送り出し方向に回転するように配列してなり、図２に示したように、当該噛合部を通過する紙Ｐを縦方向に細断してヌードル状の細長い縦切り屑Ｑ１とする部分である。
【００２０】
このような縦切り細断部１において、何れか一方の多板ディスク状回転カッター１ａの回転軸１ｃと、縦切り細断用駆動モータ３の駆動軸３ａとには、それぞれスプロケット６が設けられ、対応するチェーン７を架け渡すことで、モータ３の駆動力をチェーン７を介して多板ディスク状回転カッター１ａに伝達して、これを回転可能としている。また、一対の多板ディスク状回転カッター１ａ・１ｂの回転軸１ｃ・１ｄには歯車８が設けられ、これら歯車８が噛合することによって、これら多板ディスク状回転カッター１ａ・１ｂが同期して回転するようにしている。なお、多板ディスク状回転カッター１ａ・１ｂの回転方向は紙Ｐを細断する正回転の他、モータ３の回転方向を制御することによって、逆回転させることもできる。
【００２１】
横切り細断部２は、複数の刃先を有するスパイラル状回転カッター２ａと、図２に示すように、その回転軌道上に刃先を位置させた固定カッター２ｂとを備え、縦切り細断部１から排出される縦切り屑Ｑ１を上記スパイラル状回転カッター２ａと固定カッター２ｂとで、さらに横方向に細断（横切り）する部分である。
【００２２】
このような横切り細断部２において、スパイラル状回転カッター２ａの回転軸２ｃと、横切り細断用駆動モータ４の駆動軸４ａとには、それぞれスプロケット９が設けられ、対応するチェーン１０を架け渡すことで、モータ４の駆動力をチェーン１０を介してスパイラル状回転カッター２ａに伝達して、これを回転可能としている。このスパイラル状回転カッター２ａの回転方向は、縦切り細断部１から排出される縦切り屑Ｑ１を横切り細断する正回転に限られ、通常、逆回転させる必要はない。
【００２３】
また、横切り細断部２には、スパイラル状回転カッター２ａの回転の有無を検知する検知部５が設けられている。
【００２４】
この検知部５は、スパイラル状回転カッター２ａの回転軸２ｃに一体に設けたエンコーダディスク５ａと、エンコーダセンサ５ｂとを組み合わせてなる。このうちエンコーダディスク５ａは、図３に示したように、ディスク外周に凹部５ｃと凸部５ｄを周方向に沿って交互に複数組形成した歯車状である。一方、エンコーダセンサ５ｂは、エンコーダディスク５ａを挟んで、投光部５ｅと受光部５ｆとを対向配置した透過形フォトセンサからなり、投光部５ｅと受光部５ｆの間に凹部５ｃが位置するときは光が通過し、凸部５ｄが位置するときは光が遮断される。
【００２５】
したがって、この検知部５では、受光部５ｆに一定時間、光が間欠的に入力されればスパイラル状回転カッター２ａが回転しているものと判定され、スパイラル状回転カッター２ａが回転していること、即ち横切り細断部２が正常に動作中であることを検知することができる。逆に、一定時間以上、光が入力されないか、光が入力されっぱなしであれば、スパイラル状回転カッター２ａは回転していないものと判定され、スパイラル状回転カッター２ａが回転していないことを検知することができる。
【００２６】
本実施形態に係るシュレッダーによれば、図示しない本体の電源を投入すれば、検知部５が動作して、スパイラル状回転カッター２ａの回転の有無について監視が開始される。そして、実際に、紙Ｐを細断すべく、図示しないスタートボタンを押せば、通常であれば、縦切り細断用駆動モータ３と横切り細断用駆動モータ４が駆動して、多板ディスク状回転カッター１ａ・１ｂとスパイラル状回転カッター２ａとが同時に回転して、縦切り細断と横切り細断が同時に行われる。
【００２７】
このような通常運転に対して、スタートボタンを押したにもかかわらず、何らかの原因でスパイラル状回転カッター２ａが回転していないことを検知部５が検知したならば、図示しない制御回路により縦切り細断用駆動モータ３への電力供給を停止するなどして多板ディスク状回転カッター１ａ・１ｂを回転させないようにして、縦切り細断に係る動作をキャンセルする。
【００２８】
こうしたキャンセルは、細断スタート時に限らず、それまで通常運転にあったものが、その途中で、スパイラル状回転カッター２ａの未回転を検知した場合にも同様に行う。
【００２９】
したがって、多板ディスク状回転カッター１ａ・１ｂのみが回転する縦切り細断部１の単独運転によって、該縦切り細断部１から排出される縦切り屑Ｑ１が横切り細断部２との間で詰まることを未然に防止することができる。よって、本実施形態のシュレッダーでは、横切り細断部２にモータ４の故障や配線の不具合等があって、正常に動作しない場合には、追い打ちをかけて紙詰まりが発生することを防止することができる。
【符号の説明】
【００３０】
１  縦切り細断部
１ａ・１ｂ  多板ディスク状回転カッター
１ｃ・１ｄ  回転軸
２  横切り細断部
２ａ  スパイラル状回転カッター
２ｂ  固定カッター
２ｃ  回転軸
３  縦切り細断用駆動モータ
３ａ  駆動軸
４  横切り細断用駆動モータ
４ａ  駆動軸
５  検知部
５ａ  エンコーダディスク
５ｂ  エンコーダセンサ（透過形フォトセンサ）
５ｃ  凹部
５ｄ  凸部
５ｅ  投光部
５ｆ  受光部
６・９  スプロケット
７・１０  チェーン
８  歯車
【図１】
0006688031.tif 000002
【図２】
0006688031.tif 000003
【図３】
0006688031.tif 000004
【図４】
0006688031.tif 000005